(57)【要約】【課題】  簡単な構成で視認性を良くする。また、加えて、防水性能および耐久性能の向上を図る。【解決手段】  先端基部１５に取付用穴部１６が設けられているとともに把持可能な把持部１１を有するグリップ部１０と、このグリップ部１０の先端基部１５の取付用穴部１６に基端部２３が密着するように嵌挿された光透過性の筒部材２１およびこの筒部材２１内に配設された発光源（ＬＥＤ）を有し当該筒部材２１を介して外部へ有色光を発光可能な発光部２０とを備え、筒部材２１の外周面２２に、当該発光部２０が発する有色光とは色の異なる帯部３０を設ける。グリップ部１０の先端基部１５および当該先端基部１５近傍の筒部材２１の外周面２２部分と密着して両者の隙間をシールするとともに両者の相対変位を規制する補強部材４０を設ける。【選択図】  図１
0003102587.tif 000002
【実用新案登録請求の範囲】
【請求項１】
先端基部に取付用穴部が設けられているとともに把持可能な把持部を有するグリップ部と、このグリップ部の先端基部の取付用穴部に基端部が密着するように嵌挿された光透過性の筒部材およびこの筒部材内に配設された発光源を有し当該筒部材を介して外部へ有色光を発光可能な発光部と、を備えた携帯用誘導灯において、
前記発光部の筒部材の外周面に、当該発光部が発する有色光とは色の異なる帯部を設けたことを特徴とする携帯用誘導灯。
【請求項２】
前記帯部が、前記筒部材の外周面に巻き付いた形状とされた請求項１記載の携帯用誘導灯。
【請求項３】
前記グリップ部の先端基部および当該先端基部近傍の前記筒部材の外周面部分と密着して両者の隙間をシールするとともに両者の相対変位を規制する補強部材を設けたことを特徴とする請求項１又は２記載の携帯用誘導灯。
【考案の詳細な説明】
【技術分野】
【０００１】
本考案は、道路工事現場や駐車場における車両の誘導等に用いるのに好適な携帯用誘導灯に関する。
【背景技術】
【０００２】
例えば、道路工事現場や駐車場において車両の誘導を行う者は、携帯用の誘導灯を手で操作して、車両の運転手に合図（通行許可・ストップのサイン等）を送るのが一般的である。
【０００３】
図３に携帯用誘導灯の従来構成（例えば、特許文献１参照）を示す。この携帯用誘導灯は、把持可能なグリップ部１０と、このグリップ部１０に基端部が接続されており有色（通常は赤色）の光を発光可能な発光部２０とから構成されている。グリップ部１０は、携帯用誘導灯を使用する者が把持する把持部１１と、この把持部１１と連結された先端基部１５とから形成されている。把持部１１および先端基部１５は、構造強度が大である合成樹脂（ＡＢＳ樹脂など）で形成されている。
【０００４】
詳しくは、把持部１１は、電池ボックスを兼ねており、内部には電池が収容されている。先端基部１５には、点滅回路等が実装されたプリント基板が内蔵されているとともに、外周面には電源スイッチ１７が配設されている。なお、電源スイッチ１７は、プリント基板と電気的に接続されている。また、先端基部１５には発光部２０の筒部材２１の基端部を保持するための取付用穴部が設けられている。
【０００５】
一方、発光部２０は、グリップ部１０の先端基部１５に設けられた取付用穴部に基端部が密着するように嵌挿された光透過性の筒部材２１と、この筒部材２１内に配設された発光源とを有し、当該筒部材２１を介して外部へ有色光（通常は赤色光）を発光可能に形成されている。
【０００６】
詳しくは、筒部材２１は、透明または半透明の白色もしくは赤色の合成樹脂（例えば、ポリカーボネート）で円筒状に形成されている。なお、白色の場合は、内周面に沿って赤色フィルムが内挿されている。この筒部材２１の内部には、発光源（ＬＥＤ）が配設されている。発光源は、図示しない電極線や先端基部１５内のプリント基板等を介して把持部１１内の電池と電気的に接続されている。
【０００７】
したがって、先端基部に設けられた電源スイッチを操作することにより、発光源（通常はＬＥＤ）を点灯させて筒部材２１を赤色等に光らせることができる。
【特許文献１】特開２０００−３３１５０２号公報の従来の技術の欄
【考案の開示】
【考案が解決しようとする課題】
【０００８】
ところで、携帯用誘導灯においては、より一層遠方から明確に視認できることが求められている。また、携帯用誘導灯は、屋外において雨の日にも使用されることがあるが、雨水がグリップ部１０の先端基部１５内や把持部１１内に浸入して、プリント配線基板や電池などに悪影響を与え故障してしまうことがある。また、携帯用誘導灯は、使用者によって発光部２０が左右・前後に強く振られたり、乱暴に扱われることが多い。そのため、グリップ部１０の先端基部１５と筒部材２１との接続部分に過度に負担が掛かって、当該部分が破損する事態が生じることがある。
【０００９】
本考案は、簡単な構成で遠方から極めて明確に視認できる携帯用誘導灯を提供することを目的とする。また、加えて、防水性能および耐久性能の向上を図ることができる携帯用誘導灯を提供することを目的とする。
【課題を解決するための手段】
【００１０】
上記目的を達成するために、請求項１の考案は、先端基部に取付用穴部が設けられているとともに把持可能な把持部を有するグリップ部と、このグリップ部の先端基部の取付用穴部に基端部が密着するように嵌挿された光透過性の筒部材およびこの筒部材内に配設された発光源を有し当該筒部材を介して外部へ有色光を発光可能な発光部と、を備えた携帯用誘導灯において、前記発光部の筒部材の外周面に、当該発光部が発する有色光とは色の異なる帯部を設けたものである。
【００１１】
上記請求項１の考案の場合、筒部材の外周面に帯部を設けることにより、人は目の錯覚によって発光部の筒部材から一段と強い有色光（例えば、赤色）が発しているものと認識する。そのため、簡単な構成で遠方から極めて明確に視認できる。すなわち、従来例よりも見る者の注意を一段と喚起することができる。
【００１２】
請求項２の考案は、前記帯部が、前記筒部材の外周面に巻き付いた形状とされたものである。
【００１３】
上記請求項２の考案の場合、加工が簡単で遠方から極めて明確に視認できる。
【００１４】
請求項３の考案は、前記グリップ部の先端基部および当該先端基部近傍の前記筒部材の外周面部分と密着して両者の隙間をシールするとともに両者の相対変位を規制する補強部材を設けたものである。
【００１５】
上記請求項３の考案の場合、グリップ部は筒部材よりも熱膨張係数が大きい合成樹脂で形成されることが多いが、例えば高気温で雨が降っている状況下で使用された結果、グリップ部の取付用穴部と筒部材の基端部との間の隙間が増大しても、当該隙間は補強部材によってシールされるので、雨水がグリップ部の先端基部内や把持部内などに浸入して故障を誘引するようなことはない。また、補強部材によって、グリップ部の先端基部と筒部材との相対変位は規制されるので、両者の接続部分は構造強度が増すことになる。そのため、グリップ部の先端基部と筒部材との接続部分に過度に負担が掛かっても、当該部分が破損する事態を回避できる。したがって、請求項１又は２記載の考案の場合と同様な作用・効果を奏し得る他、防水性能および耐久性能の向上を図ることができる。
【考案の効果】
【００１６】
請求項１の考案によれば、帯部を筒部材の外周面に設けることにより、人は目の錯覚によって筒部材から一段と強い有色光（例えば、赤色）が発しているものと認識する。そのため、簡単な構成で遠方から極めて明確に視認できる。
【００１７】
請求項２の考案によれば、帯部が筒部材の外周面に巻き付く形状とされているので、加工も容易で遠方から極めて明確に視認できる。
【００１８】
請求項３の考案によれば、グリップ部の先端基部の取付用穴部と筒部材の基端部との間の隙間が熱膨張によって増大しても、当該隙間は補強部材によってシールされるので、雨水などがグリップ部の先端基部内や把持部内などに浸入して故障を誘引するような事態は生じない。また、補強部材によって、グリップ部の先端基部と筒部材との接続部分は構造強度が増大する。したがって、請求項１又は２記載の考案の場合と同様な効果を奏し得る他、防水性能および耐久性能の向上を図ることができる。
【考案を実施するための最良の形態】
【００１９】
本考案の最良の実施形態を図面に基づき説明する。
【００２０】
本考案に係る携帯用誘導灯は、図１（Ａ），（Ｂ）に示すように、グリップ部１０と、このグリップ部１０の先端基部１５に設けられた取付用穴部１６に基端部２３が密着するように嵌挿された光透過性の筒部材２１及びこの筒部材２１内に配設された発光源を有し当該筒部材２１を介して外部へ有色光を発光可能な発光部２０とを備え、発光部２０の筒部材２１の外周面２２に、当該発光部２０が発する有色光とは色の異なる帯部３０を設けた構成とされている。
【００２１】
なお、図３に示す従来例と共通する構成要素については同一の符号を付し、その説明を省略または簡略化する。また、本携帯用誘導灯のグリップ部１０と発光部２０の筒部材２１とは合成樹脂製とされているが、グリップ部１０は筒部材２１よりも熱膨張係数が大きい合成樹脂で形成されている。因みに、本携帯用誘導灯の全長Ｌ０は５４０ｍｍ、グリップ部１０の長さＬ１は２００ｍｍ、最大径ｄ１は４２ｍｍである。また、筒部材の長さＬ２は３４０ｍｍ、外径ｄ２は３０ｍｍである。
【００２２】
本携帯用誘導灯の特徴部である帯部３０は、筒部材２１の外周面２２に巻き付いた形状とされている。具体的には、帯部３０は、図１（Ａ）に示すように、所定寸法の幅（例えば、５ｍｍ）を有し筒部材２１の縦軸線を軸心とする螺旋形状とされている。より具体的には、帯部３０は、非透光性のテープ（この実施形態では、片面に粘着層が形成された黒色のビニールテープ）を筒部材２１の外周面２２に螺旋状に巻き付けることにより形成されている。
【００２３】
また、本携帯用誘導灯には、グリップ部１０の先端基部１５および当該先端基部１５近傍の筒部材２１の外周面２２部分と密着して両者（１５，２２）の隙間をシールするとともに両者（１５，２２）の相対変位を規制する補強部材４０が設けられている。
【００２４】
この実施形態では、補強部材４０は、弾性に富んだ合成樹脂（例えば、合成ゴム）製とされており、拡径されることによりグリップ部１０の先端基部１５と当該先端基部１５近傍の筒部材２１の外周面２２部分と密着する位置に位置決め可能、かつ、当該位置決め後は自己の有する弾性復元力で両者（１５，２２）と密着するとともに両者（１５，２２）の相対変位を規制するものとされている。
【００２５】
上記構成の本携帯用誘導灯は、筒部材２１の外周面２２に帯部３０が設けられているので、人は目の錯覚によって発光部２０の筒部材２１から一段と強い有色光（例えば、赤色）が発しているものと認識する。そのため、簡単な構成で遠方から極めて明確に視認することができる。
【００２６】
また、本携帯用誘導灯は、グリップ部１０が筒部材２１よりも熱膨張係数が大きい合成樹脂で形成されているが、例えば高気温で雨が降っている状況下で使用された場合に、グリップ部１０の先端基部１５の取付用穴部１６と筒部材２１の基端部２３との間の隙間が増大しても、当該隙間は補強部材４０によってシールされるので、雨水がグリップ部１０の先端基部１５内や把持部１１内などに浸入して故障を誘引してしまうようなことはない。また、補強部材４０によって、グリップ部１０の先端基部１５と筒部材２１との相対変位は規制されるので、両者（１５，２１）の接続部分は構造強度が増すことになる。そのため、先端基部１５と筒部材２１との接続部分に過度に負担が掛かっても、当該部分が破損する事態を回避できる。したがって、防水性能および耐久性能の向上を図ることができる。
【００２７】
なお、上記実施形態では、帯部３０を螺旋形状としたが、形状はこれに限定されない。例えば、帯部３０を図２に示すように横縞模様となるように形成してもよい。また、帯部３０を、黒色のビニールテープを筒部材２１の外周面２２に貼着することにより形成したが、これに限定されるものではない。例えば、筒部材２１の外周面２２に、発光部２０が発する有色光とは異なる塗料を塗って帯部３０を形成してもよい。
【００２８】
また、補強部材４０を弾性に富んだ合成樹脂製としたが、例えば熱湯を掛けるなどして加熱することによって内径が収縮する合成樹脂（ポリエチレン等）材料から形成してもよい。
【図面の簡単な説明】
【００２９】
【図１】本考案の実施形態を説明するための図である。
【図２】帯部の変形例を説明するための図である。
【図３】補強部材を説明するための図である。
【符号の説明】
【００３０】
１０  グリップ部
１１  把持部
１５  先端基部
１６  取付用穴部
１７  電源スイッチ
２０  発光部
２１  筒部材
２２  外周面
２３  基端部
３０  帯部
４０  補強部材
【図１】
0003102587.tif 000003
【図２】
0003102587.tif 000004
【図３】
0003102587.tif 000005